【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ポンプチャンバと、
該ポンプチャンバから第１の弁チャンバの出口へと通じる、第１の流路と、
該第１の弁チャンバの入口から第２の弁チャンバの第１の出口へと通じる、第２の流路であって、該第２の弁チャンバは、入口および第２の出口をさらに含む、第２の流路と、
該第１の弁チャンバの該出口および該第２の弁チャンバの該第２の出口を選択的に開閉するように位置付けられる、可撓性シートと、
該第２の弁チャンバの該第２の出口から延在する第３の流体流路であって、該第３の流体流路は、（ｉ）第３の弁チャンバに通じる、および（ｉｉ）該第１の流体流路および該第２の流体流路のうちの少なくとも１つに対して少なくとも約４５度の角度で位置付けられる、から成る群から選択される少なくとも１つの特徴を含む、第３の流体流路と
を備える、使い捨てポンピングカセット。
【請求項２】
基部壁を含み、前記第１の弁チャンバの前記入口、前記第２の弁チャンバの前記入口、および該第２の弁チャンバの前記第１の出口のうちの少なくとも１つは、該基部壁内に開口を含む、請求項１に記載の使い捨てポンピングカセット。
【請求項３】
前記第１の弁チャンバの前記第１の出口および前記第２の弁チャンバの前記第２の出口のうちの少なくとも１つは、前記基部壁から隆起するポートを含む、請求項２に記載の使い捨てポンピングカセット。
【請求項４】
前記ポートは、前記基部壁の第１の側に隆起し、前記第１および第２の流路のうちの少なくとも１つは、該基部壁の第２の側に存在する、請求項３に記載の使い捨てポンピングカセット。
【請求項５】
前記第１および第２の弁チャンバのうちの少なくとも１つは、前記基部壁から延在する弁チャンバ壁を含む、請求項２に記載の使い捨てポンピングカセット。
【請求項６】
前記可撓性膜は、前記弁チャンバ壁および前記基部壁に接続される外壁のうちの少なくとも１つに封着される、請求項５に記載の使い捨てポンピングカセット。
【請求項７】
前記第１および第２の流路のうちの少なくとも１つは、前記基部壁から延在する経路形成壁を含む、請求項２に記載の使い捨てポンピングカセット。
【請求項８】
前記可撓性シートは、第１の可撓性シートであって、前記少なくとも１つの経路形成壁または前記基部壁に接続される外壁に封着される、第２の可撓性シートを含む、請求項７に記載の使い捨てポンピングカセット。
【請求項９】
前記ポンプチャンバ、前記第１の流路、前記第２の流路、前記第１の弁チャンバ、および前記第２の弁チャンバは、硬い部分として形成される、請求項１に記載のポンピングカセット。
【請求項１０】
前記第３の弁チャンバは、（ｉ）第１および第２の出口を含む、および（ｉｉ）前記ポンプチャンバと流体連通する、から成る群から選択される少なくとも１つの特徴を含む、請求項１に記載の使い捨てポンピングカセット。
【請求項１１】
前記第２の流体ポンプチャンバの前記入口から延在する第４の流体流路を含む、請求項１に記載の使い捨てポンピングカセット。
【請求項１２】
基部壁と、該基部壁から延在する封入チャンバ壁とによって形成されるポンプチャンバと、
該ポンプチャンバと連通する弁チャンバであって、該弁チャンバは、入口ならびに第１の出口および第２の出口を含み、該第１の出口および該第２の出口のうちの一方は、該基部壁から該封入チャンバ壁内に延在するポートを含み、該入口と、該第１の出口および該第２の出口のうちのもう一方とは、該封入チャンバ壁内に配置される開口を含み、該開口は、該基部壁によって画定される、弁チャンバと
を備える、使い捨てポンピングカセット。
【請求項１３】
前記第１および第２の出口のうちの一方を開閉可能なように位置付けられる可撓性シート膜を含む、請求項１２に記載の使い捨てポンピングカセット。
【請求項１４】
前記ポートは、前記封入チャンバ壁のほぼ中心において前記基部壁から延在する、請求項１２に記載の使い捨てポンピングカセット。
【請求項１５】
前記弁チャンバは、第１の弁チャンバであって、該第１の弁チャンバと前記ポンプチャンバとの間に一列に配置される第２の弁チャンバを含む、請求項１２に記載の使い捨てポンピングカセット。
【請求項１６】
前記第１および第２の弁チャンバは、（ｉ）前記ポンプチャンバへの第１の流体流路を通して、または（ｉｉ）該ポンプチャンバへの第２の流体流路を通して、前記第１の弁チャンバに流入する流体を選択的に流動させるように構成される、請求項１５に記載の使い捨てポンピングカセット。
【請求項１７】
透析器具と動作可能であって、該器具およびカセットは、前記入口ならびに第１および第２の出口の任意のものが、弁入口または弁出口として、交換可能に動作するように構成される、請求項１２に記載の使い捨てポンピングカセット。
【請求項１８】
入口ならびに第１および第２の出口を含む、第１の弁チャンバと、
入口および出口を含む、第２の弁チャンバであって、該第１の弁チャンバの該第１および第２の出口のうちの１つを通し、該第２の弁チャンバの該出口を通し透析液を流動させるように動作可能である、第２の弁チャンバと
を備え、該第２の弁チャンバは、該透析液が、該第１の弁チャンバの該第１の出口および第２の出口のうちの１つを通って第３の弁チャンバに流動することが可能であるように閉鎖可能である、使い捨てポンピングカセット。
【請求項１９】
前記第２の弁チャンバの前記出口は、該第２の弁チャンバを避けて、前記第１の弁チャンバの前記第１および第２の出口のうちの１つからの前記透析液の流動を迂回させるように閉鎖可能である、請求項１８に記載の使い捨てポンピングカセット。
【請求項２０】
前記第２の弁チャンバの前記出口は、前記第１の弁チャンバの前記第１および第２の出口のうちの１つを通して、該第２の弁チャンバの該出口へ透析液を流動させるように開放可能である、請求項１８に記載の使い捨てポンピングカセット。
【請求項２１】
前記第１の弁チャンバの前記第１および第２の出口のうちの一方は、開閉可能であるが、該第１および第２の出口のうちの他方は開閉不能である、請求項１８に記載の使い捨てポンピングカセット。
【請求項２２】
前記第１の弁チャンバの前記第１および第２の出口ならびに前記第２の弁チャンバの前記出口のうちの１つを開閉するように構成される、可撓性シートを含む、請求項１８に記載の使い捨てポンピングカセット。
【請求項２３】
前記第１および第２の弁チャンバのうちの少なくとも１つと動作可能に連通するポンプチャンバを含む、請求項１８に記載の使い捨てポンピングカセット。
【請求項２４】
透析器具と動作可能であって、該器具およびカセットは、前記第１および第２の弁チャンバのいずれもの前記入口および出口の任意のものが、弁入口または弁出口として、交換可能に動作するように構成される、請求項１８に記載の使い捨てポンピングカセット。
【請求項２５】
流体入口ならびに第１および第２の流体出口を含む、弁チャンバと、
該第１および第２の出口のうちの１つのみを開閉するように動作可能である、可撓性シートと
を備える、使い捨てポンピングカセット。
【請求項２６】
前記弁チャンバは、第１の弁チャンバであって、該第１の弁チャンバと動作可能に連通する第２の弁チャンバおよびポンプチャンバのうちの少なくとも１つを含む、請求項２５に記載の使い捨てポンピングカセット。
【請求項２７】
前記弁チャンバの前記流体入口は、前記可撓性シートを介して、開閉されない、請求項２５に記載の使い捨てポンピングカセット。
【請求項２８】
透析器具と動作可能であって、該器具およびカセットは、前記流体入口ならびに第１および第２の流体出口の任意のものが、流体入口または流体出口として、交換可能に動作するように構成される、請求項２５に記載の使い捨てポンピングカセット。
【請求項２９】
ポンプチャンバと、
第１の弁チャンバ、第２の弁チャンバ、および、第３の弁チャンバと、
該ポンプチャンバから該第１の弁チャンバの出口へと通じる、第１の流路と、
該第１の弁チャンバの入口から第２の弁チャンバの第１の出口へと通じる、第２の流路であって、該第２の弁チャンバは、入口および第２の出口をさらに含む、第２の流路と、
該第１の弁チャンバの該出口および該第２の弁チャンバの該第２の出口を選択的に開閉するように位置付けられる、可撓性シートと、
該第２の弁チャンバの該第２の出口から延在する第３の流体流路であって、該第３の流体流路は、該第３の弁チャンバに通じる、第３の流体流路と
を備える、使い捨てポンピングカセット。
【請求項３０】
ポンプチャンバと、
第１の弁チャンバ、および第２の弁チャンバと、
該ポンプチャンバから該第１の弁チャンバの出口へと通じる、第１の流路と、
該第１の弁チャンバの入口から第２の弁チャンバの第１の出口へと通じる、第２の流路であって、該第２の弁チャンバは、入口および第２の出口をさらに含む、第２の流路と、
該第１の弁チャンバの該出口および該第２の弁チャンバの該第２の出口を選択的に開閉するように位置付けられる、可撓性シートと、
該第２の弁チャンバの該第２の出口から延在する第３の流体流路と
を備える、使い捨てポンピングカセット。
【手続補正２】
【補正対象書類名】明細書
【補正対象項目名】００２３
【補正方法】変更
【補正の内容】
【００２３】
付加的特徴および利点が本明細書に記載され、以下の詳細な説明および図面から明白となるであろう。
例えば、本発明は以下の項目を提供する。
（項目１）
ポンプチャンバと、
該ポンプチャンバから第１の弁チャンバの出口へと通じる、第１の流路と、
該第１の弁チャンバの入口から第２の弁チャンバの第１の出口へと通じる、第２の流路であって、該第２の弁チャンバは、入口および第２の出口をさらに含む、第２の流路と、
該第１の弁チャンバの該出口および該第２の弁チャンバの該第２の出口を選択的に開閉するように位置付けられる、可撓性シートと
を備える、使い捨てポンピングカセット。
（項目２）
基部壁を含み、上記第１の弁チャンバの上記入口、上記第２の弁チャンバの上記入口、および該第２の弁チャンバの上記第１の出口のうちの少なくとも１つは、該基部壁内に開口を含む、項目１に記載の使い捨てポンピングカセット。
（項目３）
上記第１の弁チャンバの上記第１の出口および上記第２の弁チャンバの上記第２の出口のうちの少なくとも１つは、上記基部壁から隆起するポートを含む、項目２に記載の使い捨てポンピングカセット。
（項目４）
上記ポートは、上記基部壁の第１の側に隆起し、上記第１および第２の流路のうちの少なくとも１つは、該基部壁の第２の側に存在する、項目３に記載の使い捨てポンピングカセット。
（項目５）
上記第１および第２の弁チャンバのうちの少なくとも１つは、上記基部壁から延在する弁チャンバ壁を含む、項目２に記載の使い捨てポンピングカセット。
（項目６）
上記可撓性膜は、上記弁チャンバ壁および上記基部壁に接続される外壁のうちの少なくとも１つに封着される、項目５に記載の使い捨てポンピングカセット。
（項目７）
上記第１および第２の流路のうちの少なくとも１つは、上記基部壁から延在する経路形成壁を含む、項目２に記載の使い捨てポンピングカセット。
（項目８）
上記可撓性シートは、第１の可撓性シートであって、上記少なくとも１つの経路形成壁または上記基部壁に接続される外壁に封着される、第２の可撓性シートを含む、項目７に記載の使い捨てポンピングカセット。
（項目９）
上記第２のポンプチャンバの上記第２の出口から延在する第３の流体流路を含み、該流路は、（ｉ）第３の弁に通じる、および（ｉｉ）上記第１および第２の流体流路のうちの少なくとも１つに対して少なくとも約４５度の角度で位置付けられる、から成る群から選択される少なくとも１つの特徴を含む、項目１に記載の使い捨てポンピングカセット。
（項目１０）
上記第３の弁チャンバは、（ｉ）第１および第２の出口を含む、および（ｉｉ）上記ポンプチャンバと流体連通する、から成る群から選択される少なくとも１つの特徴を含む、項目９に記載の使い捨てポンピングカセット。
（項目１１）
上記第２の流体ポンプチャンバの上記入口から延在する第３の流体流路を含む、項目１に記載の使い捨てポンピングカセット。
（項目１２）
ポンプチャンバと、
該ポンプチャンバと連通する弁チャンバであって、入口ならびに第１および第２の出口を含む、弁チャンバと
を備える、使い捨てポンピングカセット。
（項目１３）
上記第１および第２の出口のうちの一方を開閉可能なように位置付けられる可撓性シート膜を含む、項目１２に記載の使い捨てポンピングカセット。
（項目１４）
基部壁と、該基部壁から延在し、上記ポンプチャンバを形成する封入チャンバ壁とを含み、上記出口のうちの一方は、該封入チャンバ壁内に上記基部壁から延在するポートを含む、項目１２に記載の使い捨てポンピングカセット。
（項目１５）
上記流体入口ならびに上記第１および第２の出口のうちの他方は、上記封入チャンバ壁内に配置される開口を含み、該開口は、上記基部壁によって画定される、項目１４に記載の使い捨てポンピングカセット。
（項目１６）
上記ポートは、上記封入チャンバ壁の略中心において上記基部壁から延在する、項目１４に記載の使い捨てポンピングカセット。
（項目１７）
上記弁チャンバは、第１の弁チャンバであって、該第１の弁チャンバと上記ポンプチャンバとの間に一列に配置される第２の弁チャンバを含む、項目１４に記載の使い捨てポンピングカセット。
（項目１８）
上記第１および第２の弁チャンバは、（ｉ）上記ポンプチャンバへの第１の流体路を通して、または（ｉｉ）該ポンプチャンバへの第２の流体路を通して、上記第１の弁チャンバに流入する流体を選択的に流動させるように構成される、項目１７に記載の使い捨てポンピングカセット。
（項目１９）
透析器具と動作可能であって、該器具およびカセットは、上記入口ならびに第１および第２の出口の任意のものが、弁入口または弁出口として、交換可能に動作するように構成される、項目１２に記載の使い捨てポンピングカセット。
（項目２０）
入口ならびに第１および第２の出口を含む、第１の弁チャンバと、
入口および出口を含む、第２の弁チャンバであって、該第１の弁チャンバの該第１および第２の出口のうちの１つを通し、該第２の弁チャンバの該出口を通し透析液を流動させるように動作可能である、第２の弁チャンバと
を備える、使い捨てポンピングカセット。
（項目２１）
上記第２の弁チャンバの上記出口は、該第２の弁チャンバを避けて、上記第１の弁チャンバの上記第１および第２の出口のうちの１つからの上記透析液の流動を迂回させるように閉鎖可能である、項目２０に記載の使い捨てポンピングカセット。
（項目２２）
上記第２の弁チャンバの上記出口は、上記第１の弁チャンバの上記第１および第２の出口のうちの１つを通して、該第２の弁チャンバの該出口へ透析液を流動させるように開放可能である、項目２０に記載の使い捨てポンピングカセット。
（項目２３）
上記第１の弁チャンバの上記第１および第２の出口のうちの一方は、開閉可能であるが、該第１および第２の出口のうちの他方は開閉不能である、項目２０に記載の使い捨てポンピングカセット。
（項目２４）
上記第１の弁チャンバの上記第１および第２の出口ならびに上記第２の弁チャンバの上記出口のうちの１つを開閉するように構成される、可撓性シートを含む、項目２０に記載の使い捨てポンピングカセット。
（項目２５）
上記第１および第２の弁チャンバのうちの少なくとも１つと動作可能に連通するポンプチャンバを含む、項目２０に記載の使い捨てポンピングカセット。
（項目２６）
透析器具と動作可能であって、該器具およびカセットは、上記第１および第２の弁チャンバのいずれもの上記入口および出口の任意のものが、弁入口または弁出口として、交換可能に動作するように構成される、項目２０に記載の使い捨てポンピングカセット。
（項目２７）
流体入口ならびに第１および第２の流体出口を含む、弁チャンバと、
該第１および第２の出口のうちの１つのみを開閉するように動作可能である、可撓性シートと
を備える、使い捨てポンピングカセット。
（項目２８）
上記弁チャンバは、第１の弁チャンバであって、該第１の弁チャンバと動作可能に連通する第２の弁チャンバおよびポンプチャンバのうちの少なくとも１つを含む、項目２７に記載の使い捨てポンピングカセット。
（項目２９）
上記弁チャンバの上記流体入口は、上記可撓性シートを介して、開閉されない、項目２７に記載の使い捨てポンピングカセット。
（項目３０）
透析器具と動作可能であって、該器具およびカセットは、上記流体入口ならびに第１および第２の流体出口の任意のものが、流体入口または流体出口として、交換可能に動作するように構成される、項目２７に記載の使い捨てポンピングカセット。